(57)【特許請求の範囲】
【請求項１】
再生専用型である第１のデータ記憶レイヤを有する第１の基板と、
書き込み可能型である第２のデータ記憶レイヤを有する第２の基板とを備え、
前記第１及び前記第２のデータ記憶レイヤのそれぞれからの読み取りが当該光ディスクの共通の外部表面を透過するビームを用いて可能となるように、前記第２の基板は、前記第１のデータ記憶レイヤと前記第２のデータ記憶レイヤの間に配置され介在している接着レイヤを用いて前記第１の基板に貼り付けられており、
前記第２の基板が前記第１の基板に貼り付けられる前に、書き込み可能型である前記第２のデータ記憶レイヤに制御データが記録され、前記制御データは、再生専用型である前記第１のデータ記憶レイヤ上のコンテンツデータへのアクセスを制御するのに使用され、
前記第１のデータ記憶レイヤは、アドレス可能なブロックの第１の範囲に記憶された第１のデータを有し、
前記第２のデータ記憶レイヤは、アドレス可能なブロックの第２の範囲に記憶された第２のデータを有し、
前記第１及び前記第２の範囲は、全アドレス範囲にわたって連続的に増加し、データ変換用の前記ビームに関連した再生システムは、前記第１のデータ及び前記第２のデータが、当該光ディスク内の１つの共通の記録レイヤ上に配されているとして解釈すること
を特徴とする光ディスク。
【請求項２】
再生専用型である前記第１のデータ記憶レイヤは、前記第１のデータ記憶レイヤに形成されたピット及びランドの列を備え、
前記制御データは、当該光ディスクに割り当てられた固有のシリアル番号を有し、前記固有のシリアル番号は、前記光ディスクの製造中に形成された他の光ディスクに割り当てられたシリアル番号とは異なること
を特徴とする請求項１に記載の光ディスク。
【請求項３】
前記第２の基板が前記第１の基板に貼り付けられる前に、書き込みビームを用いて、書き込み可能型である前記第２のデータ記憶レイヤにデータが記録されていること、
を特徴とする請求項１に記載の光ディスク。
【請求項４】
再生専用型である前記第１のデータ記憶レイヤは書き込み可能型の部分を備え、データは、前記第２の基板が前記第１の基板に貼り付けられる前に、書き込みビームを用いて、前記書き込み可能型の部分に記録されていること、
を特徴とする請求項１に記載の光ディスク。
【請求項５】
前記第１のデータ記憶レイヤは、前記共通の外部表面から高さ方向に第１の距離の所に埋め込まれ、前記第２の記憶レイヤは、前記共通の外部表面から高さ方向に第２の距離の所に、前記第１のデータ記憶レイヤに対して重ならないように埋め込まれていること、
を特徴とする請求項１に記載の光ディスク。
【請求項６】
前記第１のデータ記憶レイヤは、アドレス可能なブロックの前記第２の範囲に続く第３の範囲に記憶された第３のデータを有し、前記第１、第２、および第３の範囲は、前記光ディスクの全半径にわたって連続的に増加し、
前記光ディスクは、前記第１の範囲と前記第２の範囲の間の不連続な第１のジャンプ点と、前記第２の範囲と前記第３の範囲の間の不連続な第２のジャンプ点と、を含んでいること、
を特徴とする請求項１に記載の光ディスク。
【請求項７】
光ビームが、前記第１のデータ記憶レイヤと前記第２のデータ記憶レイヤのうち選択された一方にアクセスする時には前記接着レイヤを通過し、前記第１のデータ記憶レイヤと前記第２のデータ記憶レイヤのうち残りの一方にアクセスする時には前記接着レイヤを通過しないこと、
を特徴とする請求項１に記載の光ディスク。
【請求項８】
再生専用型である前記第１のデータ記憶レイヤはユーザデータを有し、
書き込み可能型である前記第２のデータ記憶レイヤはデータ鍵を有し、
前記ビームを用いた前記鍵のリトリーバルが成功すると、前記鍵は前記ユーザデータのリトリーバルを許可すること、
を特徴とする請求項１に記載の光ディスク。
【請求項９】
再生専用型である前記第１のデータ記憶レイヤはユーザデータを有し、
書き込み可能型である前記第２のデータ記憶レイヤはパッチを有し、
前記パッチは前記ユーザデータのバージョンを更新すること、
を特徴とする請求項１に記載の光ディスク。
【請求項１０】
前記第１及び前記第２のデータ記憶レイヤのそれぞれは、当該光ディスクの全半径範囲にわたって実質的に延長されていること、
を特徴とする請求項１に記載の光ディスク。
【請求項１１】
前記第１及び前記第２のデータ記憶レイヤのうち選択された一方は、当該光ディスクの全半径範囲にわたって実質的に延長されていて、
前記第１及び前記第２のデータ記憶レイヤのうち残りの一方は、縮小された大きさを有し、前記光ディスクの前記全半径範囲より小さい範囲にわたって実質的に延長されていること、
を特徴とする請求項１に記載の光ディスク。
【請求項１２】
ＤＶＤ互換性のディスクであること、
を特徴とする請求項１に記載の光ディスク。
【請求項１３】
ＣＤ互換性のディスクであること、
を特徴とする請求項１に記載の光ディスク。
【請求項１４】
再生専用型である第１のデータ記憶レイヤを備えた、第１の基板を形成するステップと、
光ディスクを形成するために第２の基板を前記第１の基板に貼り付けるステップと、を含み、
前記第２の基板は、前記第１及び前記第２のデータ記憶レイヤのそれぞれからの読み取りが当該光ディスクの共通の外部表面を透過するビームを用いて可能となるように配置された書き込み可能型である第２のデータ記憶レイヤを備え、前記光ディスクに固有のシリアル番号が、光ディスクの製造中において、書き込み可能型である前記第２のデータ記憶レイヤに割り当てられ且つ記憶され、
前記第２の基板を前記第１の基板に貼り付けるために、接着レイヤが前記第１のデータ記憶レイヤと前記第２のデータ記憶レイヤの間に配置され、
前記第１のデータ記憶レイヤと前記第２のデータ記憶レイヤのうち選択された一方を読み取るのに用いられる第１の光ビームは前記接着レイヤを通過せず、
前記第１のデータ記憶レイヤと前記第２のデータ記憶レイヤのうち残りの一方を読み取る時に第２の光ビームが前記接着レイヤを通過し、
前記第１及び前記第２のデータ記憶レイヤは、前記光ディスク内の、全アドレス範囲にわたって連続的に増加するアドレスを有する単一の記録レイヤを模擬するように構成されていること、
を特徴とする方法。
【請求項１５】
前記形成するステップは、再生専用型である前記第１のデータ記憶レイヤを形成するために、前記第１の基板にピット及びランドの列を与えることを含み、
当該方法は、前記貼り付けるステップの前に、書き込み可能型である前記第２のデータ記憶レイヤへデータを記録するために書き込みビームを用いるステップをさらに備えること、
を特徴とする請求項１４に記載の方法。
【請求項１６】
再生専用型である前記第１のデータ記憶レイヤは書き込み可能型の部分を備え、
前記貼り付けるステップの前に、前記書き込み可能型の部分へデータを記録するために書き込みビームを用いるステップをさらに含むこと、
を特徴とする請求項１４に記載の方法。
【請求項１７】
コンテンツ供給者は、前記第１及び前記第２のデータ記憶レイヤのうち選択された一方に配置される対象であるユーザデータを認識し、
コンテンツ供給者が、少なくとも前記貼り付けるステップを実行している複製を行う施設へ、前記ユーザデータと前記第１及び前記第２のデータ記憶レイヤのうちの残りの一方とを供給することをさらに含むこと、
を特徴とする請求項１４に記載の方法。
【請求項１８】
前記複製を行う施設は、前記第１のデータ記憶レイヤに前記ユーザデータを配するための前記形成ステップをさらに実行すること、
を特徴とする請求項１７に記載の方法。
【請求項１９】
前記第１のデータ記憶レイヤは、アドレス可能なブロックの第１の範囲に記憶された第１のデータを備え、
前記第２のデータ記憶レイヤは、アドレス可能なブロックの第２の範囲に記憶された第２のデータを備え、
前記第１及び前記第２の範囲は、アドレスの全体的な範囲にわたって連続的に増加し、前記ビームに関連した再生システムは、前記第１のデータ及び前記第２のデータが、前記ディスク内の１つの共通の記録レイヤ上に配されているとして解釈すること、
を特徴とする請求項１４に記載の方法。
【請求項２０】
前記第１及び前記第２のデータ記憶レイヤのうち選択された前記一方は、前記第１及び前記第２のデータ記憶レイヤのうち選択された当該一方を前記第２の光ビームが通過しないように、前記第１及び前記第２のデータ記憶レイヤのうち前記残りの一方に揃えられている環状の不連続部を含んでいること、
を特徴とする請求項１４に記載の方法。
【請求項２１】
前記第１及び前記第２の基板のうち選択された一方は、以下の材料のレイヤをさらに備え、前記材料は、最初は半透明性を有するが、前記半透明性は前記ビームによる後続のアクセスに応じて選択的に変化され、最終的に関連した前記記憶レイヤへのアクセスの成功を防止すること、
を特徴とする請求項１４に記載の方法。
【請求項２２】
再生専用型である前記第１のデータ記憶レイヤはユーザデータを有し、
書き込み可能型である前記第２のデータ記憶レイヤはデータ鍵を有し、
前記ビームを用いた前記鍵のリトリーバルが成功すると、前記鍵は前記ユーザデータのリトリーバルを許可すること、
を特徴とする請求項１４に記載の方法。
【請求項２３】
再生専用型である前記第１のデータ記憶レイヤはユーザデータを有し、
書き込み可能型である前記第２のデータ記憶レイヤはパッチを有し、
前記パッチは前記ユーザデータのバージョンを更新すること、
を特徴とする請求項１４に記載の方法。
【請求項２４】
各前記第１及び前記第２のデータ記憶レイヤのそれぞれは、前記光ディスクの全半径範囲にわたって実質的に延長されていること、
を特徴とする請求項１４に記載の方法。
【請求項２５】
前記第１及び前記第２のデータ記憶レイヤのうち選択された一方は、前記光ディスクの全半径範囲にわたって実質的に延長されていて、
前記第１及び前記第２のデータ記憶レイヤのうち残りの一方は、縮小された大きさを有し、前記光ディスクの前記全半径範囲より小さい範囲にわたって実質的に延長されていること、
を特徴とする請求項１４に記載の方法。
【請求項２６】
前記光ディスクはＤＶＤ互換性のディスクであること、
を特徴とする請求項１４に記載の方法。
【請求項２７】
前記光ディスクはＣＤ互換性のディスクであること、
を特徴とする請求項１４に記載の方法。
【請求項２８】
再生専用型である第１のデータ記憶レイヤを備えた、第１の基板を形成するステップと、
光ディスクを形成するために第２の基板を前記第１の基板に貼り付けるステップと、
前記貼り付けるステップの前に、書き込み可能型である第２のデータ記憶レイヤへデータを記録するために書き込みビームを用いるステップと、含み、
前記第２の基板は、書き込み可能型である前記第２のデータ記憶レイヤを備え、前記第２のデータ記憶レイヤは、それらの間に配置され介在する接着レイヤによって分離されて、前記光ディスクの共通の外部境界面を透過するデータ変換ビームによって、前記光ディスクの単一の記憶レイヤに結び付けられる連続的に増加するアドレス範囲にわたって前記第１及び前記第２データ記憶レイヤそれぞれへのアクセスが可能となるように配置されている、
ことを特徴とする工程を用いて形成された光ディスク。
【請求項２９】
コンテンツデータと特別に構成された基板とを、複製を行う施設に対して供給するステップと、
前記複製を行う施設において、少なくとも１つのコンテンツデータ基板を形成するステップと、
後続して、光ディスクを形成するために、前記特別に構成された基板を少なくとも１つのコンテンツデータ基板に貼り付けるステップと、を含み、
前記特別に構成された基板は、前記コンテンツデータに関連した制御データを記憶している再生専用型のデータ記憶レイヤを備え、
少なくとも１つの前記コンテンツデータ基板は、前記コンテンツデータを記憶するように構成されたコンテンツデータ記憶レイヤを備え、
前記光ディスクは、前記ディスクの共通の外部境界面を透過して、再生専用型の前記データ記憶レイヤ及び前記コンテンツデータ記憶レイヤそれぞれへデータ変換ビームによって前記光ディスクの単一の記憶レイヤに結び付けられる連続的に増加するアドレス範囲にわたってアクセスが可能であるように適合されていること、
を特徴とする方法。
【請求項３０】
前記形成するステップの前記コンテンツデータ記憶レイヤは、少なくとも１つの前記コンテンツデータ基板において、エンボス化されたピット及びランドの列を備えること、
を特徴とする請求項２９に記載の方法。
【請求項３１】
前記形成するステップの前記コンテンツデータ記憶レイヤは、書き込み可能な部分を備え、
前記書き込み可能な部分に前記コンテンツデータを記録するステップをさらに含むこと、
を特徴とする請求項２９に記載の方法。
【請求項３２】
前記特別に構成された基板の再生専用型の前記データ記憶レイヤは、書き込み可能な部分を備え、
前記供給するステップ、前記形成するステップ、そして、後続の前記貼り付けるステップの前に、前記制御データを前記書き込み可能な部分に記録するために書き込みビームを用いるステップをさらに含むこと、
を特徴とする請求項２９に記載の方法。
【請求項３３】
前記制御データは、前記ディスクを認証されたコピーとして識別するために用いられるディスク認証データを有すること、
を特徴とする請求項２９に記載の方法。
【請求項３４】
前記制御データは、ユーザデータを有する再生専用型である前記第１のデータ記憶レイヤのバージョンを更新し、
書き込み可能型である前記第２のデータ記憶レイヤは、前記ユーザデータのバージョンを更新するパッチを有すること、
を特徴とする請求項２９に記載の方法。
【請求項３５】
前記光ディスクはＤＶＤ互換性のディスクであること、
を特徴とする請求項２９に記載の方法。
【請求項３６】
前記光ディスクはＣＤ互換性のディスクであること、
を特徴とする請求項２９に記載の方法。
【発明の詳細な説明】
【技術分野】
【０００１】
本発明は、概して光ディスク技術分野に関し、より詳細には、それに限定されないが、改良された光ディスクフォーマット及びその形成方法に関する。
【背景技術】
【０００２】
光ディスクはデータ記憶媒体であり、幅広く多様なデジタルコード化されたデータを記憶するために用いられている。そのようなディスクは、通常、その性質上持ち運び可能であり、そして様々な装置、例えばパーソナルコンピュータ、カーオーディオプレーヤ、ホームシアターシステム、携帯用パーソナルエンターテイメント装置、家庭用ゲームシステム等を用いて再生することができる。
【０００３】
典型的な光ディスクの一例は円形のディスクを備え、そのディスクは１つ以上のデータ記憶（記録）レイヤを有し、そのレイヤとは、光を屈折する基板に光を反射する物質が埋め込まれたものである。各レイヤは、概して平面に沿って配置され、その平面はディスクの回転中心軸に対して実質的に垂直であり、ディスクは異なる反射率のローカル領域の形式（ピット及びランド）でデータを記憶する。データは、連続的に伸びた螺旋状のトラックに沿って、又は多数集められた同心円状のトラックに沿って記憶される。
【０００４】
データ変換ヘッドは、レーザ又は類似した光源を用い、ピット及びランド領域の異なる反射率に基づいて再生信号を出力する。復号化回路は、適切な再生装置を用いてアウトプット用のユーザデータを復号化する。
【０００５】
光ディスクは、再生専用型（pre-recorded disc）、又は書き込み可能型（recordable）であり得る。再生専用ディスクは、一般的に埋め込まれた金属化レイヤを備えていて、その金属化レイヤは、ピット及びランドをそれぞれ記憶する。射出成形工程を用いたディスクの製造において金属化レイヤが形成され、そして、ひとたびディスクの製造工程が完了すると、データは永久的にエンボス化される。
【０００６】
書き込み可能型のディスクは、データを書き込むことができる媒体である。ここで用いられる「書き込み可能型」には、１回のみ書き込みが可能であること（WORM discs、追記型ディスク）、又は多数回にわたって書き込み及び消去が可能であること（rewritable discs 、書き換え型ディスク）の両方が含まれる。追記型ディスクは、埋め込まれたレイヤであって、一般的に色素又は他の材料を含むレイヤを用いていて、その材料に対して書き込みレーザビームを選択的に露光して、異なる反射率を有しピット及びランドに相当する領域を永久的に供給する。書き換え型ディスクは、光ビームを一般的に用いて異なる反射率を有する一連の領域としてデータを書き込み、そして一般的に磁場を用いて前に書き込まれたデータを消去する。
【０００７】
再生専用型光ディスクは、記録されたデータ１バイトあたりのコストが低いという１つの長所を有する。ただし、それは光ディスクの各コピーにわたって各バイトが同一である場合に限られる。再生専用型光ディスクの１つの短所は、基板が製造されてしまった後には、ある量の固有情報を各ディスクに追加することが不可能な点である。その固有情報とは、すなわちシリアル番号や、製品活性化番号や、ソフトウェアのパッチ又は更新等である。
【０００８】
書き込み可能型光ディスクは、各ディスクに固有データ値を記録することが可能であるという１つの長所を有する。書き込み可能型光ディスクの１つの短所は、製造後に全てのコンテンツデータが記録されることであり、それによって１バイトあたりのコストが上昇する。一般に、コンテンツ供給者は、スループット効率が達成されるより多量の生産運行のために再生専用型ディスクを用いる傾向があるが、より少ない量の生産運行のために、書き込み可能型のディスクの使用に頼るようになってきている。
【０００９】
また「ハイブリッド型」の光ディスクを創造するための試みがなされている。ここで、そのハイブリッド型の光ディスクの一部は再生専用型であり、他の一部は書き込み可能型である。この取り組みの目標の１つは、再生専用型の１バイトあたりのコストが低いことを利用しながら、後続のデータをそのディスクに追加する柔軟性を提供することである。この種のディスクの例として、コダック社のＣＤ−ＰＲＯＭ（登録商標）やＯＤＣ社のＣＤＲ−ＲＯＭ（商標）がある。
【発明の開示】
【発明が解決しようとする課題】
【００１０】
このようなディスクは一般的に、再生専用部分と書き込み可能部分とを有し、それらの部分は基盤の片面に製造されているためディスクの製造工程が複雑となり、１バイトあたりのコストが上昇していた。また、他種のハイブリッド型ディスクは、ディスクの反対側からアクセスされるように再生専用部分及び書き込み可能部分を設けている。両方の部分へアクセスするためには、２つのヘッドを必要とするか又はディスクを裏返すことが必要であった。
【００１１】
光ディスクでコンテンツを供給することに対する要求が引き続き存在するため、改良されたディスクフォーマットが引き続き必要とされている。この改良されたディスクフォーマットとは、比較的簡単かつ経済的に実行でき、例えばトラッキングやコピー防止システム等の多様な必要性に適応する柔軟性をもたらすものである。本発明は、一般的に、上述した改良や他の改良を目的とする。
【課題を解決するための手段】
【００１２】
好適な実施形態によれば、光ディスクは、再生専用型である第１のデータ記憶レイヤを有する第１の基板と、書き込み可能型である第２のデータ記憶レイヤを有する第２の基板とを備える。前記第２の基板は前記第１の基盤に貼り付けられていて、データ変換ビームは、前記ディスクの共通の外部境界面を透過して、前記第１及び前記第２のデータ記憶レイヤそれぞれへアクセスする。
【００１３】
好適には、再生専用型である前記第１のデータ記憶レイヤは、前記第１のデータ記憶レイヤに形成されたピット及びランドのシーケンスを備える。好適には、データは、前記第２の基板が前記第１の基盤に貼り付けられる前に、書き込みビームを用いて、書き込み可能型である前記第２のデータ記憶レイヤに記録されている。
【００１４】
その上、好適には、前記第１のデータ記憶レイヤは、アドレス可能なブロックの第１の範囲に記憶された第１のデータを有し、前記第２のデータ記憶レイヤは、アドレス可能なブロックの第２の範囲に記憶された第２のデータを有し、前記第１及び前記第２の範囲は、アドレスの全体的な範囲にわたって連続的に増加し、前記データ変換ビームに関連した再生システムは、前記第１のデータ及び前記第２のデータが、前記ディスク内の１つの共通の記録レイヤ上に配されているとして解釈する。各レイヤは、両方とも前記ディスクの実質的に全半径範囲にわたって延長されていてもよく、又は代替的に、レイヤの一方が、縮小された大きさを有し、前記ディスクの前記全半径の部分的な範囲にわたってのみ延長されていてもよい。
【００１５】
好適には、前記第１及び前記第２のデータ記憶レイヤのうち選択された一方は、前記ディスクを認証されたコピーとして識別するために用いられるディスク認証データを記憶する。追加的に又は代替的に、前記書き込み可能型であるレイヤは、パッチを記憶するために用いられてもよく、前記パッチは、前記再生専用型であるレイヤに記憶された前記ユーザデータのバージョンを更新する。
【００１６】
さらなる好適な実施形態によれば、以下のステップ、すなわち、再生専用型である第１のデータ記憶レイヤを備えた、第１の基板を形成するステップと、光ディスクを形成するために第２の基板を前記第１の基板に貼り付けるステップを備えた方法が提供される。前記第２の基板は、書き込み可能型である第２のデータ記憶レイヤを備え、前記第２のデータ記憶レイヤは、データ変換ビームが続いて前記ディスクの共通の外部境界面を透過するように配置されていて、データ変換ビームは前記第１及び前記第２データ記憶レイヤそれぞれへアクセスする。
【００１７】
好適には、前記形成するステップは、再生専用型である前記第１のデータ記憶レイヤを形成するために、前記第１の基板にピット及びランドのシーケンスを設けることを含み、そして好適には、この方法は、前記貼り付けるステップの前に、書き込みビームを用いて書き込み可能型である前記第２のデータ記憶レイヤへデータを記録するためのステップをさらに備える。
【００１８】
前述したように、各レイヤに関連したアドレスは、好適には、アドレスの全体的な範囲にわたって連続的に増加し、再生システムは、前記第１のデータ及び前記第２のデータが、前記ディスク内の１つの共通の記録レイヤ上に配されているとして解釈する。
【００１９】
各レイヤは、両方とも前記ディスクの実質的な全半径範囲にわたって延長されていてもよく、又は代替的に、レイヤの一方は、縮小された大きさを有し、前記ディスクの前記全半径の部分的な範囲にわたってのみ延長されていてもよい。前記第１及び前記第２のデータ記憶レイヤのうち選択された一方は、前記ディスクを認証されたコピーとして識別するために用いられるディスク認証データを記憶するために用いられてもよく、さらに追加的に又は代替的に、前記書き込み可能型のレイヤは、前記再生専用型のレイヤに記憶された前記ユーザデータのバージョンを更新するパッチを記憶するために用いられてもよい。
【００２０】
さらなる好適な実施形態によれば、コンテンツデータと特別に構成された基板とを、複製を行う施設に対して供給するステップを備えた方法であって、前記特別に構成された基板は、前記コンテンツデータに関連した制御データを記憶している再生専用型のデータ記憶レイヤを備えた方法が提供される。前記複製を行う施設において、少なくとも１つのコンテンツデータ基板が形成され、少なくとも１つの前記コンテンツデータ基板は、前記コンテンツデータを記憶するように構成されたコンテンツデータ記憶レイヤを備える。
【００２１】
その後、前記特別に構成された基板を少なくとも１つのコンテンツデータ基板に貼り付けて光ディスクを形成し、前記光ディスクは、前記光ディスクの共通の外部境界面を透過して、再生専用型の前記データ記憶レイヤ及び前記コンテンツデータ記憶レイヤそれぞれへのデータ変換ビームのアクセスが可能であるように適合されている。
【００２２】
添付の図面を参照して以下の詳細な説明を読むと、本発明の好適な実施形態の他の多様な特徴や長所が明らかになるであろう。
【発明を実施するための最良の形態】
【００２３】
図１を参照すると、光ディスク再生システム１００が示されている。このシステム１００は、光ディスク１０２に記憶されたデータを再生するように構成されている。さらにこのディスク１０２は、この明細書中に説明されている多様で好適な実施形態に従って構成されている。モータ１０４は、線速度一定（ＣＬＶ）方式でディスク１０２を回転させる。そして光ディスクレーザピックアップ組み立て部は、レーザを基にした変換ヘッド（transducing head）１０６と、リニアアクチュエータ組み立て部１０８とを備え、ディスク１０２からのデータパターンを復号化する。再生処理装置１１０は必要な信号処理を行い、アナログ出力信号を出力装置１１２へ出力する。出力装置１１２は、ディスク１０２に記憶されたデータの種類によって、多数の形態を取ることができ、ホームシアターシステム、コンピュータシステム、携帯用又は車載の光ディスクプレーヤ等が含まれる。
【００２４】
図２は概して、再生動作中に図１のシステム１００がディスク１０２にアクセスする方法を例示する。ディスク１０２は、図２ではシングルレイヤの片面ディスクとして示されていて、例えば、コンパクトディスク（ＣＤ、ＣＤ−ＲＯＭ、ＣＤ−Ｒ、ＣＤ−Ｒ／Ｗ等）、又はある種のデジタル多用途ディスク（例えば、ＤＶＤ−５）の如きディスクである。
【００２５】
シングルデータレイヤ１１４は、導入領域（lead-in area）１１６を備え、この領域１１６は、目次（ＴＯＣ）又はディスク１０２の（プログラム領域１１８の）コンテンツに関連した他の前置き情報を有する。導出領域（lead-out area）１２０は、ディスク１０２の終わりを示す。
【００２６】
図３は、システム１００がディスク１０２を読み込む一般的な方法を例示する。ここで、ディスクは２レイヤの片面構造を有する（例えば、ＤＶＤ−９）。図３のディスク１０２は２つのデータレイヤ１２２、１２４（レイヤ０及びレイヤ１として示されている）を備える。第１のレイヤ（レイヤ０）１２２は、導入領域１２６を有し、それに続いてプログラム領域（program area）１２８と中間領域（middle area）１３０とを有する。第２のレイヤ１２４（レイヤ１）は、中間領域１３２、プログラム領域１３４、及び、導出領域１３６を有する。再生中、各レイヤは図示された方向へと読み取られる。中間領域１３０、１３２は、普通はスキップされる。コンテンツ情報（例えば、目次）は、導入領域１０６に記憶されていて、プログラム領域１２８、１３４両方のコンテンツが認識される。
【００２７】
好適な実施形態によれば、光ディスク１０２は、マルチ基板構造を有し、その構造は、例えば図４、５に概して示されたような構造である。図４において、第１の基板１５０は、再生専用型である第１のデータ記憶レイヤ１５２（ここではレイヤＬ０ともいう）を基板境界１５４に沿って有する。第２の基板１５６は、書き込み可能型である第２のデータ記憶レイヤ１５８（ここではレイヤＬ１ともいう）を基板境界１６０に沿って有する。製造工程において、第２の基板１５６が（好適には図示されない介在レイヤを介して）第１の基盤１５０に貼り付けられて、ディスク１０２が完成される。各データ記憶レイヤ１５２、１５８は、その後、データ変換ビーム（図示された矢印１６１）によってアクセスされる。そのビームはヘッド１０６からディスク１０２の共通の境界面１６２を透過して、アクセスする。
【００２８】
図５の実施形態は、概して図４の実施形態に類似しているので、符号もそれに応じて用いられている。しかしながら、図５において、第２のデータ記憶レイヤ１５８は、第２の基盤の上面１６４に配置されている。前述の通り、各レイヤ１５２、１５８は、共通の境界面１６２を透過してアクセスされる。
【００２９】
本発明の好適な実施形態において、他の多様な構成や特徴部分が想定される。ある実施形態において、ディスク認証区域が形成されている。その区域は、データ記憶レイヤ１５２、１５８の一方から、通常のアクセス領域（すなわち、図２、３に示す導入領域、プログラム領域、及び、導出領域）を物理的に越えた位置において形成され、ディスク認証を目的として用いられる。
【００３０】
他の実施形態において、ディスク１０２は、書き込み可能型レイヤ１５８に対する後続の更新をエンドユーザに許可するように、構成されている。さらに他の実施形態においても、再生システム１００が２つのレイヤ１５２、１５８を１つの「シングル」記録レイヤとして処理するようなアドレス方式が用いられ、その結果、このシステムに関する限り、各レイヤ１５２、１５８の全てのデータは１つのシングルレイヤ（すなわち、図３に示すレイヤ０又はレイヤ１）に存在すると見なされ、それはいつデータが書き込み可能型レイヤ１５８に書き込まれるかに関係ない。次に、これらの変形例及び他の変形例について説明する。
【００３１】
図６は、第１の実施形態に従う光ディスク１０２を一般化して示す図であり、整合している。この第１の実施形態では、ディスクが再生専用型のＤＶＤ−５ディスクを備えたものとして示されている。注意すべきことは、多様なアスペクト比及び配置を誇張して、以下の説明が簡素化されるようにしていることである。
【００３２】
当業者であれば、ＤＶＤ−５ディスクはシングルレイヤの片面ディスクであって、約４．７ギガバイト（Ｇ）のデータを記憶することを認識するであろう。ディスクは、約１．２ミリメータ（ｍｍ）の厚みを有し、薄い接着レイヤ２０６を用いて接着された２つの約０．６ｍｍ厚のポリカーボネートのサブディスク２０２、２０４で構成されている。
【００３３】
上部サブディスク２０２は、上部基板境界２０８と下部基板境界２１０とを備える。下部サブディスク２０４は、上部基板境界２１２と下部基板境界２１４とを備える。シルクスクリーン又は類似したラベル２１６が、上部サブディスク２０２の上部基板境界２０８に貼り付けられ、人間及び／又は装置が読取可能（バーコード等）なコンテンツ情報を与えている。
【００３４】
前述したように、システム１００による図６のディスク１０２へのアクセスは上方に向けて行われ、それによって、光ピックアップからのデータ変換ビームは下部基板境界２１４を透過して、ポリカーボネートの下部サブディスク２０４へと進む。ビームは、下部サブディスク２０４の上部基盤境界２１２に形成された金属化反射レイヤ２１８に当たり、そこに形成されたピットとランドとの相対的な反射率が戻り光に関係して感知される。ここで戻り光とは、下部サブディスク２０４を透過して光ピックアップに戻った光である。
【００３５】
この種のアクセスは、時として、「第２の表面の記録」といわれる。それは、変換ビームがディスク１０２の外面（すなわち、下部境界２１４）を貫通し、ディスクの基板（下部ポリカーボネートサブディスク２０４）を透過して、基板のもう一方の反対側表面（すなわち、内部境界２１２）にアクセスするからである。これは、変換ビームが基板の外部境界に当たり、そして基板を貫通しない「第１の表面の記録」と対照的である。
【００３６】
図６のディスク１０２の記録レイヤは、ディスク認証区域（符号２２０によって識別される）といわれ、これも第２の表面の記録技術を用いてアクセスされる。区域２２０は、好適には、一連の波型プレグルーブ（wiggle pre-grooves）（簡素化のため図示されない）を用いて上部サブディスク２０２の上部基板境界２０８に形成されている。記録色素レイヤ２２２は、プレグルーブ上に塗布され、記録色素レイヤ２２２上に平らな金属化反射レイヤ２２４が塗布されている。
【００３７】
区域２２０へのアクセス動作中に、光ピックアップは焦点深度を調節し、それによって変換ビームが境界２１４、２１２、２１０、及び、２０８を透過して（すなわち、サブディスク２０４、２０２を透過する）、反射レイヤ２２４上に焦点が合う。記録レイヤ２２２に対してデータが選択的に書き込まれるが、この書き込みは、エンドユーザに対してディスク１０２を出荷する前、又はエンドユーザによるアプリケーションプログラムの活性化の最中のいずれかに行われる。データは、ディスク１０２のコンテンツを識別するために役立ち、コピー防止や他の認証目的等のための鍵を与える。
【００３８】
要望に応じて、記録レイヤ２２２は、追加的に又は代替的に、ディスク１０２がアクセスされた回数を示すように構成されていてもよい。例えば、ディスクがアクセスされる度に、デジタル「合印」が区域２２０に記録されるようにアプリケーションルーチンを構成してもよい。そして所定回数（例えば、５回）の許可されたアクセスが行われた後は、さらなるアクセス動作は拒否される。
【００３９】
代替的には、商業的に入手可能な、特別に開発された色素を記録レイヤ２２２に用いてもよい。そのような色素は、通常の変換ビーム照射の下、分解する。ディスク１０２の動作は、区域２２０までシークが実行されるようになっている。過度のアクセス回数の後には、色素は十分に分解されていてシークを成功させることができず、ディスク１０２へのさらなるアクセスは拒否されるであろう。
【００４０】
従って、好適な実施形態において、区域２２０への後続の書き込み動作の間に波型プレグルーブが上部境界面２０８に形成されて、記録システム（ＤＶＤ−Ｒ等）によるトラッキングが可能になるが、一方、別の実施形態においては、実際のピット及びランドパターンが上部境界面２０８に形成され、それによって現存のデータセットがその区域へ供給され、色素レイヤ２２２に対する露光が繰り返された後、このデータセットにはその後アクセスできなくなる。
【００４１】
図７は、ディスク１０２に対する、別のＤＶＤ−５の実施形態を提供する。図７における実施形態は図６に示された実施形態と類似しているが、ディスク認証区域２２０が上部サブディスク２０２の下部境界２１０に近接している点で相違し、それは図６のようにサブディスク２０２が上部境界２０８に近接することの代替である。従って、この実施形態において、通常の記録レイヤ２１８及び認証区域２２０の両方は、異なる高さの異なる面に配置されているとはいえ、ディスク１０２の複合基板の内部に配置されている。この埋め込みテクニックは、同様に、以下に紹介する他の実施形態に合うように適合されてもよいことが分かるであろう。
【００４２】
図８は、ディスク１０２を示し、このディスク１０２は、概して２レイヤの片面構造を有し、ＤＶＤ−９のフォーマット（容量８．５Ｇ）に整合している。図８において、同様な特徴部分については同じ符号が用いられている。図８のディスク１０２は、半反射レイヤ（semi-reflective layer）２２６を備え、この半反射レイヤ２２６は、下部サブディスク２０４と、上部サブディスク２０２の境界２１０上の反射レイヤ２２８との境界２１２に位置する。前述の通り、認証区域２２０はもちろん記録レイヤ２２６、２２８は両方とも下方からアクセスされる。
【００４３】
図９は、ＤＶＤ−１０（９．４Ｇ）に整合したフォーマットを有するディスクを示す。このディスクは２レイヤの両面ディスクであり、埋め込まれた反射レイヤ２３０、２３２を有する。このディスクは、上部反射レイヤ２３０へのアクセスを可能にするために、通常、裏返されなければならない。下部反射レイヤ２３２及び認証区域２２０の両方とも、ディスク１０２が図９に示す位置にある場合にアクセスされる。
【００４４】
図１０は、ディスク１０２を例示し、このディスク１０２は、ＤＶＤ−１８（１７．１Ｇ）に整合するフォーマットであり、そして４レイヤの両面ディスクであり、埋め込まれた反射レイヤ２３４、２３６と埋め込まれた半反射レイヤ２３８、２４０とを有する。変換ビームは、複数の内部境界レイヤを透過してから認証区域２２０にアクセスするが、その他のアクセスは前述したように行われることに注意されたい。
【００４５】
図６から１０は、多様なＤＶＤフォーマットに整合したフォーマットを有するディスク１０２を表すが、これは限定されない。むしろ、ディスク１０２は、現存する又は将来開発されるいかなるフォーマットをも取りうる。例えば、図１１は、従来のＣＤ（０．７Ｇ）としてディスク１０２を例示し、そのディスク１０２は、境界２４４、２４６を有するポリカーボネートレイヤ（サブディスク）２４２と、境界２４６上の金属化反射レイヤ２４８とを備える。上部基板境界２５２を有する保護レイヤ２５０は、サブディスク２４２上に図示のように形成され、そして認証区域２２０は、保護レイヤ２５０上に形成されている。記録レイヤ２４８及び認証区域２２０は両方とも、前述のように下方からアクセスされる。図１１のＣＤは、記録レイヤ２２２における分解するタイプの色素の使用にとりわけ適していて、その色素は、通常の赤色のＣＤデータ変換レーザの露光によって分解する。
【００４６】
前述の例示的なフォーマットは、再生専用ディスクを備えるとして示されているが、一方、それは必ずしも限定されておらず、むしろ多様な内部記録レイヤ（例えば、２１８、２２６、２２８、２３０、２３２、２３４、２３６、２３８、２４０、２４８）が所望に応じて代替的に書き込み可能型として構成されてもよく、そしてレイヤ２２０が書き込み可能型又は再生専用型であってもよいということが認識される。レイヤ２２０を初期設定で「ブランク」の書き込み可能型区域とし、次に、ディスク１０２の完成前にそれにデータを記録すると、レイヤ２２０があたかも金属のピット・ランド構造から形成されているかのような結果（すなわち、再生専用区域）と同じ結果が得られる。それゆえに、そのようにして得られたものは以下に添付した請求項の目的のための「再生専用型」レイヤとして見なされる。
【００４７】
他の点では、従来のものと同じである再生専用型ディスクに認証区域を組み入れるとき、１つの好適な取り組みは、複数のスタンパを成形キャビティ２７０の向かい合った側面に提供することである。そのスタンパは、図１２に示すように、複製ディスクの形成に用いられるものである。第１のスタンパ２７２は成形キャビティの一部を形成し、埋め込まれる記録レイヤのためのパターンを射出成形基板２７４の第１の側面に供給する。第２のスタンパ２７６は、成形キャビティ２７０の反対側の側面に配置されていて、波型プレグルーブ（又は他の特徴部分）を基板２７４の反対側の第２の側面に形成する。残りの工程が実行されて、複製ディスクが完成される。
【００４８】
図１２から、金型の構成と、ディスク１０２のどの部分が一般化された基板２７４を備えるかという特徴とは、ディスクのフォーマットに依存することに注意すべきである。例えば、図８のＤＶＤ−９フォーマットに関して、基板２７４は上部サブディスク２０２を備えていてもてもよく、図８に示すように、上部サブディスク２０２の上面２０８は波型プレグルーブを受け取り、そして上部サブディスク２０２の下面２１０はピット及びランドのシーケンスを受け取り、そのシーケンスに対して反射レイヤ２２６が付着される。本例において、複合基板が後続して形成される。それは、ディスクの複製工程の完成中に下部サブディスク２０４を上部サブディスク２０２接着することによって行われる。
【００４９】
他の例において、図１２の基板２７４は、多数の内部レイヤの複合体を表していてもよい。それらのレイヤは別々に形成され、後続して接着される。たとえば図６、７に示すＤＶＤ−５ディスク用の上部サブディスク２０２と下部サブディスク２０４と同様である。従って、図１２に表された成形工程は、同時又は連続した工程と見なすことができ、与えられたアプリケーションの要求に依存することが認識される。
【００５０】
図１３はディスク１０２を示し、そのディスク１０２は、本発明の他の好適な実施形態に整合していて、この明細書中ではハイブリッド型のマルチレイヤＤＶＤ−５（ＨＭＬ）ディスクと称される。図１３において、２つの基板３０２、３０４が供給され、そして適切な材料（図示されない）を用いて貼り合わされる。基板３０２は、１つのデータ記憶レイヤ３０６、本例ではＬ０、を備え、レイヤ３０６は、エンボス化されたピット及びランドのシーケンス３０８と金属化レイヤ３１０とを有する。
【００５１】
基板３０４は、他のデータ記憶レイヤ３１２を備え、このレイヤ３１２はＬ１として称され、１つ以上の記録可能な領域（１つの領域のみ図１３に示されている）を有する。書込み可能な領域は、波型プレグルーブ３１４、反射レイヤ３１６、及び、色素レイヤ３１８を備える。前述のように、データは書込み可能領域に書きこまれ、それは色素レイヤ３１８を選択的に露光することによって行われ（波型プレグルーブ３１４を用いてヘッドの位置を定める間）、こうして、一連の異なる反射率の消えない「ストライプ」が供給され、再生中にピット及びランドとして機能する。
【００５２】
データ記憶レイヤ３０６は第１の集合を備え、この第１の集合はアドレス可能なセクタ又はブロックの集合であり、グラフを用いて描かれたアドレス曲線３２０のように、半径に応じて連続的に増加する。データ記憶レイヤ３１２は第２の集合を備える。この第２の集合はアドレス可能なセクタ又はブロックの集合であり、アドレス曲線３２０に示されるように連続して増加する。従って、Ｌ０上のアドレスは増加し、その増加はＬ０の半径内側の最も低いアドレスから始まり、Ｌ０からＬ１への識別されたジャンプ点３２２において、より高いアドレスへと増加する。アドレスは、ジャンプ点Ｌ１からＬ１の半径外側の最も高いアドレスへと、引き続き増加する。注意すべきことに、別の実施形態において、レイヤＬ０とレイヤＬ１とを所望に応じて入れ替えてもよく、その結果、データ記憶レイヤ３０６が上部サブディスク３０４に備えつけられ、データ記憶レイヤ３１２が下部サブディスク３０２に備えつけられる。
【００５３】
図１４は、また別の実施形態を与え、それは、ＨＭＬ  ＤＶＤ−５ディスク１０２のためのものである。ディスク１０２は２つ以上のジャンプ点を有する。さらに詳細には、本例では、第１のジャンプ点３２４は、再生専用型レイヤＬ１から書き込み可能型レイヤＬ０へのものであり、第２のジャンプ点３２６は、書き込み可能型レイヤＬ０から再生専用型レイヤＬ１へ戻るものである。前述のようにアドレスは引き続き増加し、その増加は半径に応じてでありレイヤには関らない。
【００５４】
図１５は、さらに別の実施形態を与える。この実施形態は、光ディスク１０２のためのものである。ディスク１０２は、ＨＭＬ  ＤＶＤ−９ディスクとして特徴付けられている。本例では、Ｌ０、Ｌ１それぞれのデータ記憶レイヤ３０６、３１２は、ディスク１０２の半径全体にわたって実質的に延長されている。グラフにアドレス曲線３３０、３３２で示すように、アドレスはレイヤＬ０を横切って増加し、ジャンプ点３２８においてレイヤＬ１にジャンプし、そしてレイヤＬ１を戻るように横切って増加し、ここで、レイヤＬ１に書き込まれたデータは、レイヤ１上の再生専用データと共に、シームレスに読み取られる。
【００５５】
従来の再生装置は、一般的には、個別の情報レイヤ上に絶対的な厚み又は焦点深度に基づいて焦点を合わせることはないが、それは、光ディスクの表面のフラットネスに非常に大きな変化がある可能性、さらには基板自体の厚みの製造誤差がある可能性からであることが分かるであろう。代わりに、再生装置は、アドレスの内容に基づいて、マルチレイヤディスクのどのレイヤが現在読み取られているのかを決定する。すなわち、１つのレイヤ上のみに存在するアドレスもあれば、第２のレイヤ上のみに存在するアドレスもある。それゆえ、再生装置は、与えられたアドレスを読み取るとき、そのアドレスが特定のレイヤ上にあることを想定する。
【００５６】
したがって、ここに説明されているＨＭＬディスク１０２のユニークな特性は、２つの結合されたレイヤはアドレスの集合を備えることである。ここで、このアドレスは通常１つの情報レイヤに属する。その集合に含まれるこれらのアドレスの一部は、１つのレイヤ上の再生専用型情報に含まれ、これらのアドレスの別の一部は、書き込み可能型又は書き換え型（記録又は書き換え後）レイヤ含まれる。一般的に、この特徴的なアドレスの仕組みにより、ＨＭＬディスクは、標準のマルチレイヤ読み取り装置、例えばＤＶＤ−Ｖｉｄｅｏ及びＤＶＤ−ＲＯＭのような読取装置を用いた読み取りを可能にすることが保証される傾向がある。
【００５７】
従来のシングルレイヤのハイブリッドディスクに対するＨＭＬの長所は以下の事実を含む。すなわち、標準の製造システム及び方法を用いて、再生専用型の情報レイヤと書き込み可能型又は書き換え型の情報レイヤとの両方を生産することが可能であり、それによって製造コストが低下することである。
【００５８】
ＤＶＤ−５及びＤＶＤ−９が例として用いられているが、ＨＭＬテクノロジはいかなるディスク構成とともに用いられてもよく、その構成は現存する又は将来開発されるいかなるフォーマットをも含むことが分かる。当業者であれば、現存するテクニックを容易に用い本明細書の説明に従ってディスクを生成することができる。そしてさらに現存する書き込み及び再生装置を容易に用いて、ディスク上の書き込み可能型領域に所望のデータを記録することと、再生専用型及び書き込み可能型のコンテンツを再生することとの両方を行うことができる。従って、本開示のそのような局面に関する、図面やさらなる説明は、上述の説明を十分に理解するために必要なものではない。
【００５９】
図１３、１４のＤＶＤ−５の例は、平行トラックパス（ＰＴＰ）アドレス指定を利用している。このアドレス指定は再生専用型区域及び書き込み可能型区域それぞれにおいて利用されている。すなわち、読み取りの方向（ＩＤからＯＤ）は両方の区域で同じである。図１５のＤＶＤ−９の例は、逆行トラックパス（ＯＴＰ）アドレス指定を利用している。この場合、再生専用型レイヤ０からのデータがＩＤからＯＤへと読み取られ、そして次にレイヤ１の書き込み可能型のデータ区域が反対の方向（ＯＤからＩＤ）へと読み取られる。従って、任意の数の異なる読み取り方向が用いられてもよい。それは、与えられたアプリケーションの要求に基づいて多様なレイヤの間で行ったり戻ったりする「サーペンタイン」ディスク構成を含む。
【００６０】
ＤＶＤ−９は、書き込み可能型のデータ区域をレイヤ１に有する。この書き込み可能型のデータ区域は、レイヤ０の再生専用型のデータの上方に存在することに注意するべきである。その結果、変換光ピックアップは、半反射レイヤを透過して焦点を合わせ、レイヤ１のこの区域を読み取る。従って、レイヤ０に「ギャップ」を残してレイヤ１の書き込み可能型の区域を読み取っている（逆もまた同じ）実施形態もあるが、それには限定されないことは、図１５に明示されたとおりである。
【００６１】
先行する多様な実施形態は、重大な柔軟性と、光ディスクの製造において高められた処理能力とを与える。例としては、流通目的で多数の光ディスクを製造させることを望んでいるコンテンツの供給者は、多様な実施形態を以下の好適なステップの如きに従って利用することができる。
【００６２】
まず、コンテンツの供給者は、コンテンツデータと多数の特別に構成された基板とを、複製を行う施設に対して供給することができ、その施設はディスクの製造及び/又はディスクの複製業務を提供する。コンテンツデータは、インターネットの如き電子的転送転により、又はコンテンツデータを１つ以上のデータ記憶媒体にのせて物理的に発送することによって供給される。特別に構成された基板は、データ記憶媒体と一緒に発送されてもよく、又は他所で組み立てられた後に複製を行う施設へと転送されてもよく、それはコンテンツ供給者の指示に基づいて行われる。
【００６３】
特別に構成された基板は、好適には、図４の上部基板１５６の如き形態を有し、関連したデータ記憶レイヤ１５８は再生専用型である制御データを記憶し、その制御データはコンテンツデータと関連している。制御データは、固有のシリアル番号、製品活性化番号、制御データを更新するためのパッチ等を所望に応じて含んでいてもよい。好適には、Ｘ個の光ディスクが求められたとき、コンテンツ供給者は所定数の特別に構成された基板を供給できる（又は、代替的にＸ＋ｎ個の基板を供給でき、ここでｎは少数の追加の基板であり、これらの追加基板はスクラップ又は他の製造関連の問題に対応するためのものである）。
【００６４】
次に、複製を行う施設は、図４の下部基板１５０に代表されるように、コンテンツデータ基板を従来の方式で形成することに取りかかることができる。コンテンツデータ基板それぞれは、１つ以上のコンテンツデータ記憶レイヤ（例えば、図４の１５２）を有し、そのレイヤは適切な符号化テクニックを用いてコンテンツデータを記憶するように構成されている。コンテンツデータは一連のエンボス化されたピット及びランドとしてとして記憶されてもよいし、一方、コンテンツデータ記憶レイヤは書き込み可能型であってもよく、そしてそのコンテンツデータはそこに順次記録されてもよく、それは所望に応じるものであることに注意すべきである。
【００６５】
第３に、複製を行う施設は、特別に構成された基板（例えば１５６）のそれぞれを対応するコンテンツデータ基板（例えば１５０）のそれぞれに貼り付けて、所望のＸ個の光ディスク群を形成する。各データ記憶レイヤの配置は、図４の１６１に示されるように、ディスクの共通の外部境界面を透過するデータ変換ビームがアクセスできるようになされる。
【００６６】
こうして、コンテンツ供給者は、生産された全てのディスクを慎重に制御することが可能である。もし余分の特別に構成された基板が供給された場合、それらの基板を返却（return）またはその他の計上（account）をしてもよい。従って、本明細書に示された多様な実施形態を用いて認証されていないディスクの複製を効果的に減少させることが可能である。例えば、アプリケーションによるが、適正に認証されていないディスク（特別に構成されたレイヤを有さないディスク）が正常に動作することをができなくなるように再生システム１００を構成することは容易に実現できる。
【００６７】
関連した試みにおいて、コンテンツ供給者は、慎重に数えた（enumerated）基板の集合を書き込み可能型の領域を備えたレイヤの「ブランク」として複製を行う施設へと供給することができる。その供給は、レイヤ０上のエンボス化されたデータをマスタリングし、そしてレイヤＬ１とレイヤＬ０とを１つにしてディスクを完成させるという指示と共に行うことができる。
【００６８】
開示された実施形態は、従って、事実上のいかなる現存のＤＶＤ製造者に対しても、シリアル番号が付されたディスク又は固有に識別されたディスクを既存の装備で生産する能力を与え、これは、従来技術に対する重大な長所であり、長らく求められていた重要な能力もたらす。書き込み可能型のレイヤは、代替的又は追加的に、ソフトウェア「パッチ」を記憶するため、又はコンテンツソースから供給された更新を記憶するために用いられてもよく、その結果として、前もってマスタリングされた同一の再生専用型の基板と「更新された」書き込み可能型の基板とを１つにすることが可能である。書き込み可能型のレイヤは、代替的又は追加的に、エンドユーザの使用中に更新されてもよく、それは再生専用型レイヤに記憶されたコンテンツの動作を制御するか、又は高めるためである。
【００６９】
その上、対応するレイヤがディスク１０２の異なる境界面に設けられているので、再生専用型区域及び書き込み可能型区域の両方を同一の基板面上に設ける試みに関連した製造上の問題は、完全に排除される。
【００７０】
添付された請求項の目的のために、用語「再生専用型」は先行する説明と一致するように理解されて、一般的に選択されたデータを記憶する構造を記載している。これは固定された構造（エンボス化されたピット及びランドの如きである）ばかりか、実際に受け取ったデータを記録した書き込み可能型の構造をも含む。用語「書き込み可能型」は、先行する説明と一致するように理解されて、選択されたデータを記憶するように適合された構造を記載し、そして、１回のみ書き込みが可能（すなわち、ＷＯＲＭ構造）であるか、又は繰り返し書き込み及び消去が可能（write many structure 、書き換え型構造）であるかのいずれかである。
【００７１】
「ディスクの共通の外部表面を透過してデータ変換ビームによるアクセスが可能となるような複数のデータ記憶レイヤの配置」に対する言及は、先行する説明と一致するように理解され、請求された構造においてビームを物理的に含んでいることを必要とせず、それらのレイヤの構造配置を記載するためだけの目的である。より詳細には、それらのレイヤは、その両方がディスクの同一面からアクセス可能であるように配置されていて、複数のレイヤにアクセスするためにディスクの両面からビームが適用されるような配置に対比するものである。両方のレイヤへ実際に同時にアクセスされ得ることは必須ではなく、それゆえに、それらのレイヤは図１５に示されていたようにオーバーラップしてもよく、又は図４から１４に示されているように半径方向に排他的であってもよい。それによって、ある半径位置においてレイヤの１つにアクセス可能であり、他の半径位置において他の１つのレイヤにアクセス可能である。
【００７２】
本発明の多様な実施形態の構造及び機能の詳細と共に開示された先行する説明において、本発明の多様な実施形態の多数の特性や利点が明らかにされたが、この詳細な説明は例示に過ぎず、細部にわたって、特に構造及びパーツの改良に関しては、本発明の本質の範囲内から用語の一般的な広い範囲の意味によって示された最大範囲内で変更が行われてもよく、その用語によって添付の請求項が表現されることが理解されるであろう。
【産業上の利用可能性】
【００７３】
この発明は、改良された光ディスクフォーマット及びその形成方法に有用であり、特に比較的簡単かつ経済的に実行できる光ディスクフォーマットに適している。
【図面の簡単な説明】
【００７４】
【図１】光ディスク再生システムの機能ブロック図である。
【図２】シングルレイヤディスクの読み取り方向を概して例示する図である。
【図３】マルチレイヤディスクの読み取り方向を概して例示する図である。
【図４】本発明のいくつかの好適な実施形態に適合して構築された光ディスクの概略説明図である。
【図５】本発明の他の好適な実施形態に適合して構築された光ディスクの概略説明図である。
【図６】好適な一実施形態に適合したＤＶＤ−５光ディスクの構成を説明する図である。
【図７】他の好適な実施形態に適合したＤＶＤ−５光ディスクの構成を説明する図である。
【図８】他の好適な実施形態に適合したＤＶＤ−９光ディスクの構成を説明する図である。
【図９】他の好適な実施形態に適合したＤＶＤ−１０光ディスクの構成を説明する図である。
【図１０】他の好適な実施形態に適合したＤＶＤ−１８光ディスクの構成を示す図である。
【図１１】他の好適な実施形態に適合したコンパクトディスク（ＣＤ）フォーマットの構成を例示する図である。
【図１２】選択された基板を形成するための好適な方法論を例示するために、成形キャビティとともに基板を説明する図である。
【図１３】他の好適な実施形態に適合した、ＤＶＤ−５互換性フォーマットのディスクのためのあるアドレスの仕組みを示す図である。
【図１４】他の好適な実施形態に適合した、ＤＶＤ−５互換性フォーマットのディスクのための他のアドレスの仕組みを示す図である。
【図１５】他の好適な実施形態に適合した、ＤＶＤ−９互換性フォーマットのディスクのための他のアドレスの仕組みを例示する図である。
【符号の説明】
【００７５】
１００  光ディスク再生システム
１０２  光ディスク
１０４  モータ
１０６  ヘッド
１０８  アクチュエータ
１１０  再生処理装置
１１２  出力装置
１１４  シングルデータレイヤ
１１６、１２６  導入領域
１１８  プログラム領域
１２０、１３６  導出領域
１２２、１２４  データレイヤ
１２８  プログラム領域
１３０、１３２  中間領域
１３４  プログラム領域
１５０  第１の基板
１５２  第１のデータ記憶レイヤ
１５４、１６０  基板境界
１５６  第２の基板
１５８  第２のデータ記憶レイヤ
１６１  データ変換ビーム
１６２  共通の境界面
１６４  第２の基盤の上面
２０２、３０４  上部サブディスク
２０４、３０２  下部サブディスク
２０６  接着レイヤ
２０８、２１２  上部基板境界
２１０、２１４  下部基板境界
２１６  ラベル
２１８、２２４、２４８  金属化反射レイヤ
２２０  ディスク認証区域
２２２  記録色素レイヤ
２２６  半反射レイヤ
２２８、２３０、２３２、２３４、２３６、３１６  反射レイヤ
２３８、２４０  半反射レイヤ
２４２  サブディスク
２４４、２４６  境界
２５０  保護レイヤ
２５２  上部基板境界
２７０  成形キャビティ
２７２  第１のスタンパ
２７４  射出成形基板
２７６  第２のスタンパ
３０６、３１２  データ記憶レイヤ
３０８  ピット及びランドのシーケンス
３１０  金属化レイヤ
３１４  波型プレグルーブ
３１８  色素レイヤ
３２０、３３０、３３２  アドレス曲線
３２２、３２８  ジャンプ点
３２４  第１のジャンプ点
３２６  第２のジャンプ点
【図１】
0004440260.tif 000002
【図２】
0004440260.tif 000003
【図３】
0004440260.tif 000004
【図４】
0004440260.tif 000005
【図５】
0004440260.tif 000006
【図６】
0004440260.tif 000007
【図７】
0004440260.tif 000008
【図８】
0004440260.tif 000009
【図９】
0004440260.tif 000010
【図１０】
0004440260.tif 000011
【図１１】
0004440260.tif 000012
【図１２】
0004440260.tif 000013
【図１３】
0004440260.tif 000014
【図１４】
0004440260.tif 000015
【図１５】
0004440260.tif 000016